(57)【要約】  本発明の実施例は、高精細度マルチメディアインターフェイスＨＤＭＩインターフェイスユニットおよびマルチメディア端末を提供する。高精細度マルチメディアＨＤＭＩインターフェイスユニットは、ＳＩＮＫデバイスと通信するように構成されたＳＯＵＲＥインターフェイスモジュールと、ＳＯＵＲＣＥデバイスと通信するように構成されたＳＩＮＫインターフェイスモジュールと、外部デバイスのＨＤＭＩインターフェイスに接続するように構成されたインターフェイス回路モジュールと、接続された外部デバイスのデバイスタイプを特定して、スイッチング回路モジュールをコントロールするように構成された処理モジュールと、インターフェイス回路モジュールに接続された外部デバイスのＨＤＭＩインターフェイスとＳＯＵＲＣＥインターフェイスモジュール又はＳＩＮＫインターフェイスモジュールとの間の接続を確立するように構成されたスイッチング回路モジュールと、を含む。本発明の実施例により提供される高精細度マルチメディアインターフェイスＨＤＭＩインターフェイスユニットおよびマルチメディア端末に従って、マルチメディア端末に接続された異なるデバイスのタイプがポートと一致する場合に、マルチメディア端末がＳＯＵＲＣＥデバイス又はＳＩＮＫデバイスに対して接続を確立することの保証が実施される。
2016521023.tif 000002
【特許請求の範囲】
【請求項１】
高精細度マルチメディアＨＤＭＩインターフェイスユニットであり、
ソースであるＳＯＵＲＣＥインターフェイスモジュールと、シンクであるＳＩＮＫインターフェイスモジュールと、インターフェイス回路モジュールと、処理モジュールと、スイッチング回路モジュールと、を含み、
前記ＳＯＵＲＥインターフェイスモジュールは、ＳＩＮＫデバイスタイプの外部デバイスと通信する、ように構成されており、
前記ＳＩＮＫインターフェイスモジュールは、ＳＯＵＲＣＥデバイスタイプの外部デバイスと通信する、ように構成されており、
前記インターフェイス回路モジュールは、外部デバイスのＨＤＭＩインターフェイスに対して接続する、ように構成されており、
前記処理モジュールは、前記インターフェイス回路モジュールに接続されたデバイスのデバイスタイプを特定し、かつ、前記特定されたデバイス対応に従って、前記スイッチング回路モジュールをコントロールする、ように構成されており、かつ、
前記スイッチング回路モジュールは、前記処理モジュールのコントロールの下で、前記インターフェイス回路モジュールに接続された前記外部デバイスの前記ＨＤＭＩインターフェイスと前記ＳＯＵＲＣＥインターフェイスモジュールとの間の接続を確立するように、または、前記インターフェイス回路モジュールに接続された前記外部デバイスの前記ＨＤＭＩインターフェイスと前記ＳＩＮＫインターフェイスモジュールとの間の接続を確立するように、構成されている、
ＨＤＭＩインターフェイスユニット。
【請求項２】
前記インターフェイス回路モジュールは、
電源サブモジュールであり、前記外部デバイスの前記ＨＤＭＩインターフェイス上の電源ポートに接続するように構成されており、前記外部デバイスの前記ＨＤＭＩインターフェイスに対して一定電圧を提供するための、電源サブモジュールと、
検出サブモジュールであり、前記外部デバイスの前記ＨＤＭＩインターフェイス上のＨＰＤピンおよび前記処理モジュールに対して別個に接続するように構成されており、前記外部デバイスの前記ＨＰＤピンからのレベル信号を前記処理モジュールに対して出力するための、検出サブモジュールと、
を含む、請求項１に記載のＨＤＭＩインターフェイスユニット。
【請求項３】
前記処理モジュールは、特定的に、
検出サブモジュールを使用して前記ＨＰＤピンからのレベル信号を取得し、かつ、
前記レベル信号のレベルが第１プリセット閾値より小さいか等しい場合に、前記外部デバイスがＳＯＵＲＣＥデバイスタイプであるとして特定し、または、
前記レベル信号のレベルが第２プリセット閾値より大きいか等しい場合に、前記外部デバイスがＳＩＮＫデバイスタイプであるとして特定する、
ように構成されている、
請求項２に記載のＨＤＭＩインターフェイスユニット。
【請求項４】
前記処理モジュールは、
前記外部デバイスがＳＯＵＲＣＥデバイスであるとして特定される場合に、前記外部デバイスの前記ＨＤＭＩインターフェイスのデータポートと前記ＳＩＮＫインターフェイスモジュールとの間の接続を確立するように、前記スイッチング回路モジュールをコントロールし、または、
前記レベル信号のレベルが第２プリセット閾値より大きいか等しい場合に、前記外部デバイスがＳＩＮＫデバイスタイプであるとして特定し、かつ、前記外部デバイスの前記ＨＤＭＩインターフェイスのデータポートと前記ＳＯＵＲＣＥインターフェイスモジュールとの間の接続を確立するように、前記スイッチング回路モジュールをコントロールする、
ように構成されている、
請求項２または３に記載のＨＤＭＩインターフェイスユニット。
【請求項５】
前記電源サブモジュールは、
前記一定電圧を生成し、または、前記ＨＤＭＩインターフェイスユニットが配置されているマルチメディア端末のボード電源に接続する、ように構成されている、電源コンポーネントと、
前記電源コンポーネントとグラウンド終端に別個に接続する、ように構成されている、抵抗コンポーネントと、
前記処理モジュールのコントロールの下で、前記電源コンポーネントを前記外部デバイスの前記ＨＤＭＩインターフェイス上の電源ポートから切離し、または、電源ポートに接続する、ように構成されている、第１スイッチコンポーネントと、
を含む、請求項２乃至４いずれか一項に記載のＨＤＭＩインターフェイスユニット。
【請求項６】
前記検出サブモジュールは、
前記外部デバイスの前記ＨＤＭＩインターフェイス上の前記ＨＰＤピンを使用してレベル信号入力を受取る、ように構成されている、レベル信号入力端と、
前記レベル信号を検出する、ように構成されている、ＨＰＤ検出端と、
前記レベル信号を出力する、ように構成されている、ＨＰＤ出力端と、
前記処理モジュールのコントロールの下で、前記レベル信号入力端と前記ＨＰＤ検出端との間の接続、または、前記レベル信号入力端と前記ＨＰＤ出力端との間の接続を確立する、ように構成されている、第２スイッチングコンポーネントと、
を含む、請求項２乃至５いずれか一項に記載のＨＤＭＩインターフェイスユニット。
【請求項７】
前記スイッチング回路モジュールは、
前記処理モジュールのコントロールの下で、前記外部デバイスの前記ＨＤＭＩインターフェイスと前記ＳＯＵＲＣＥインターフェイスモジュールとの間の接続を確立し、または、前記外部デバイスの前記ＨＤＭＩインターフェイスと前記ＳＩＮＫインターフェイスモジュールとの間の接続を確立する、ように構成されている、第３スイッチングコンポーネント、を含む、
請求項１乃至６いずれか一項に記載のＨＤＭＩインターフェイスユニット。
【請求項８】
請求項１乃至７いずれか一項に記載のＨＤＭＩインターフェイスユニットを少なくとも一つ含み、
前記ＨＤＭＩインターフェイスユニットは、ＳＯＵＲＣＥデバイスタイプの外部デバイスのＨＤＭＩインターフェイスに接続し、または、ＳＩＮＫデバイスタイプの外部デバイスのＨＤＭＩインターフェイスに接続する、ように構成されている、
マルチメディア端末。
【請求項９】
前記ＨＤＭＩインターフェイスユニットにおける前記処理モジュールは、前記マルチメディア端末の中央処理ユニットＣＰＵである、
請求項８に記載のマルチメディア端末。
【発明の詳細な説明】
【技術分野】
【０００１】
本発明は、通信技術に関する。特定的には、高精細度マルチメディアインターフェイスＨＤＭＩインターフェイスユニットおよびマルチメディア端末に関する。
【０００２】
本特許出願は、２０１３年４月２日付で中国特許庁に提出された中国特許出願第２０１３１０１１２９８０．Ｘ号に基づく優先権を主張するものである。タイトルは”ＨＩＧＨ−ＤＥＦＩＮＩＴＩＯＮ  ＭＵＬＴＩＭＥＤＩＡ  ＩＮＴＥＲＦＡＣＥ  ＨＤＭＩ  ＩＮＴＥＲＦＡＣＥ  ＵＮＩＴ  ＡＮＤ  ＭＵＬＴＩＭＥＤＩＡ  ＴＥＲＭＩＮＡＬ”であり、その全体が、ここにおいて参照として包含されている。
【背景技術】
【０００３】
従来のマルチメディア端末においては、一般的に２つ又はさらにそれ以上の高彩度マルチメディアインターフェイスが存在している（Ｈｉｇｈ−Ｄｅｆｉｎｉｔｉｏｎ  Ｍｕｌｔｉｍｅｄｉａ  Ｉｎｔｅｒｆａｃｅ、略してＨＤＭＩ）、いくつかのＨＤＭＩインターフェイスは、ソース（ＳＯＵＲＣＥ）デバイス（ＳＯＵＲＣＥ）に対して接続するためだけに使用され得る。例えば、セットトップボックス（Ｓｅｔ  Ｔｏｐ  Ｂｏｘ、略してＳＴＢ）である。そして、いくつかのＨＤＭＩインターフェイスは、シンク（ＳＩＮＫ）デバイス（ＳＩＮＫ）に対して接続するためだけに使用され得る。例えば、テレビ（Ｔｅｌｅｖｉｓｉｏｎ、略してＴＶ）である。
【０００４】
従来技術において、ＳＯＵＲＣＥデバイスに接続された、マルチメディア端末のＨＤＭＩインターフェイスと、に接続された、マルチメディア端末のインターフェイスとは、構成的に同一のものである。接続されたデバイスのタイプがポートのタイプと一致しない場合、マルチメディアデバイスとＳＯＵＲＣＥデバイス又はＳＩＮＫデバイスとの間の接続を確立することができず、ユーザに対して不便をもたらしている。
【発明の概要】
【発明が解決しようとする課題】
【０００５】
本発明は、マルチメディア端末に接続されたデバイスのタイプとポートのタイプが一致しない場合に、ＳＯＵＲＣＥデバイス又はＳＩＮＫデバイスに対してマルチメディアデバイスが接続を確立できないという問題を解決するための、高精細度マルチメディアインターフェイスＨＤＭＩインターフェイスユニットおよびマルチメディア端末を提供する。
【課題を解決するための手段】
【０００６】
第１の態様に従って、本発明は、高精細度マルチメディアＨＤＭＩインターフェイスユニットを提供する。ソースであるＳＯＵＲＣＥインターフェイスモジュールと、シンクであるＳＩＮＫインターフェイスモジュールと、インターフェイス回路モジュールと、処理モジュールと、スイッチング回路モジュールと、を含むものである。前記ソースであるＳＯＵＲＥインターフェイスモジュールはＳＩＮＫデバイスと通信するように構成されており、前記シンクであるＳＩＮＫインターフェイスモジュールはＳＯＵＲＣＥデバイスと通信するように構成されており、前記インターフェイス回路モジュールは外部デバイスのＨＤＭＩインターフェイスに対して接続するように構成されている。前記処理モジュールは前記インターフェイス回路モジュールに接続されたデバイスのデバイスタイプを特定して、前記特定されたデバイス対応に従って前記スイッチング回路モジュールをコントロールするように構成されている。そして、前記スイッチング回路モジュールは、前記処理モジュールのコントロールの下で、前記インターフェイス回路モジュールに接続された前記外部デバイスの前記ＨＤＭＩインターフェイスと前記ＳＯＵＲＣＥインターフェイスモジュールとの間の接続を確立するように、または、前記インターフェイス回路モジュールに接続された前記外部デバイスの前記ＨＤＭＩインターフェイスと前記ＳＩＮＫインターフェイスモジュールとの間の接続を確立するように構成されている。
【０００７】
第１の態様に係る第１の可能な実施例において、前記インターフェイス回路モジュールは、電源サブモジュールであり、前記外部デバイスの前記ＨＤＭＩインターフェイス上の電源ポートに接続するように構成されており、前記外部デバイスの前記ＨＤＭＩインターフェイスに対して一定電圧を提供するための電源サブモジュールと、検出サブモジュールであり、前記外部デバイスの前記ＨＤＭＩインターフェイス上のＨＰＤピンおよび前記処理モジュールに対して別個に接続するように構成されており、前記外部デバイスの前記ＨＰＤピンからのレベル信号を前記処理モジュールに対して出力するための、検出サブモジュールと、を含む。
【０００８】
第１の態様に係る第１の可能な実施例に従って、第２の可能な実施例において、前記処理モジュールは、特定的に、検出サブモジュールを使用して前記ＨＰＤピンからのレベル信号を取得し、かつ、前記レベル信号のレベルが第１プリセット閾値より小さいか等しい場合に、前記外部デバイスがＳＯＵＲＣＥデバイスタイプであるとして特定して、前記デバイスの前記ＨＤＭＩインターフェイスのデータポートを前記モジュールに接続するように前記スイッチング回路モジュールをコントロールし、または、前記レベル信号のレベルが第２プリセット閾値より大きいか等しい場合に、前記外部デバイスがＳＩＮＫデバイスタイプであるとして特定するように構成されている。
【０００９】
第１の態様に係る第１の可能な実施例および第１の態様に係る第２の可能な実施例に従って、第３の可能な実施例において、前記処理モジュールは、さらに、前記外部デバイスがＳＯＵＲＣＥデバイスであるとして特定される場合に、前記外部デバイスの前記ＨＤＭＩインターフェイスのデータポートと前記ＳＩＮＫインターフェイスモジュールとの間の接続を確立するように前記スイッチング回路モジュールをコントロールし、または、前記レベル信号のレベルが第２プリセット閾値より大きいか等しい場合に、前記外部デバイスがＳＩＮＫデバイスタイプであるとして特定して、前記外部デバイスの前記ＨＤＭＩインターフェイスのデータポートと前記ＳＯＵＲＣＥインターフェイスモジュールとの間の接続を確立するように前記スイッチング回路モジュールをコントロールするように構成されている。
【００１０】
第１の態様に係る第１の可能な実施例、第１の態様に係る第２の可能な実施例、および第１の態様に係る第３の可能な実施例に関して、第４の可能な実施例において、前記電源サブモジュールは、前記一定電圧を生成し又は前記ＨＤＭＩインターフェイスユニットが配置されているマルチメディア端末のボード電源に接続するように構成されている電源コンポーネントと、前記電源コンポーネントとグラウンド終端に別個に接続するように構成されている抵抗コンポーネントと、前記処理モジュールのコントロールの下で、前記電源コンポーネントを前記外部デバイスの前記ＨＤＭＩインターフェイス上の電源ポートから切離し又は接続するように構成されている第１スイッチコンポーネントと、を含む。
【００１１】
第１の態様に係る第１の可能な実施例、第１の態様に係る第２の可能な実施例、第１の態様に係る第３の可能な実施例、および第１の態様に係る第４の可能な実施例に関して、第５の可能な実施例において、前記検出サブモジュールは、前記外部デバイスの前記ＨＤＭＩインターフェイス上の前記ＨＰＤピンを使用してレベル信号入力を受取るように構成されているレベル信号入力端と、前記レベル信号を検出するように構成されているＨＰＤ検出端と、前記レベル信号を出力するように構成されているＨＰＤ出力端と、前記処理モジュールのコントロールの下で、前記レベル信号入力端と前記ＨＰＤ検出端との間の接続又は前記レベル信号入力端と前記ＨＰＤ出力端との間の接続を確立するように構成されている第２スイッチングコンポーネントと、を含む。
【００１２】
第１の態様に係る第１の可能な実施例、第１の態様に係る第２の可能な実施例、第１の態様に係る第３の可能な実施例、第１の態様に係る第４の可能な実施例、および第１の態様に係る第５の可能な実施例に関して、第６の可能な実施例において、前記スイッチング回路モジュールは、前記処理モジュールのコントロールの下で、前記外部デバイスの前記ＨＤＭＩインターフェイスと前記ＳＯＵＲＣＥインターフェイスモジュールとの間の接続を確立し、または、前記外部デバイスの前記ＨＤＭＩインターフェイスと前記ＳＩＮＫインターフェイスモジュールとの間の接続を確立する、ように構成されている第３スイッチングコンポーネントを含む。
【００１３】
第２の態様に従って、本発明は、マルチメディア端末を提供する。本発明のあらゆる実施例によって提供される少なくとも一つの高精細度マルチメディアＨＤＭＩインターフェイスユニットを含むものである。ここで、前記ＨＤＭＩインターフェイスユニットは、ＳＯＵＲＣＥデバイスタイプの外部デバイスのＨＤＭＩインターフェイスに接続し又はＳＩＮＫデバイスタイプの外部デバイスのＨＤＭＩインターフェイスに接続するように構成されている。
【００１４】
第２の態様に係る第１の可能な実施例において、前記ＨＤＭＩインターフェイスユニットにおける前記処理モジュールは、前記マルチメディア端末の中央処理ユニットＣＰＵである。
【００１５】
本発明によって提供される高精細度マルチメディアインターフェイスＨＤＭＩユニットおよびマルチメディア端末に従って、処理モジュールは、接続された外部デバイスのデバイスタイプを検出し、かつ、特定されたデバイスタイプに従って、スイッチング回路モジュールをコントロールする。外部デバイスのＨＤＭＩインターフェイスとソースであるＳＯＵＲＣＥインターフェイスモジュールとの間の接続を確立するため、または、外部デバイスのＨＤＭＩインターフェイスとシンクであるＳＩＮＫインターフェイスモジュールとの間の接続を確立するためである。それによって、マルチメディア端末は接続された外部デバイスのタイプを特定、そして、外部デバイスのＨＤＭＩインターフェイスとソースインターフェイス又はシンクインターフェイスとの間の接続の確立を実施する。かつ、マルチメディア端末に接続された異なるデバイスのタイプがポートと一致する場合に、マルチメディア端末がＳＯＵＲＣＥデバイス又はＳＩＮＫデバイスに対して接続を確立することの保証を実施する。
【図面の簡単な説明】
【００１６】
本発明の実施例における技術的ソリューションをより明確に説明するように、実施例を説明するために必要な添付の図面について以降に簡単に紹介する。明らかに、以降の説明において添付の図面は、本発明のいくつかの実施例を示すものであって、当業者であれば、創造的な努力をすることなく、これらの添付の図面から他の図面でさえ引き出し得る。
【図１】図１は、本発明に従った、高精細度マルチメディアインターフェイスＨＤＭＩインターフェイスユニットに係る実施例１の模式的な構成ダイヤグラムである。
【図２】図２は、本発明に従った、高精細度マルチメディアインターフェイスＨＤＭＩインターフェイスユニットに係る主要ダイヤグラムである。
【発明を実施するための形態】
【００１７】
本発明の実施例に係る目的、技術的ソリューション、および利点をより明確にするために、以降に、本発明の実施例において添付の実施例に関して、本発明の実施例における技術的ソリューションを明確かつ徹底的に説明する。明らかに、説明される実施例は、本発明の全てではなく、むしろ一部分である。創造的な努力をすることなく本発明の実施例に基づいて当業者によって獲得される他の全ての実施は、本発明の範囲内にあるものである。
【００１８】
図１は、本発明に従った、高精細度マルチメディアインターフェイスＨＤＭＩインターフェイスユニットに係る実施例１の模式的な構成ダイヤグラムである。図１に示されるように、高精細度マルチメディアＨＤＭＩインターフェイスユニット１０が、本発明に係る一つの実施例によって提供され、ＳＯＵＲＣＥインターフェイスモジュール１４、ＳＩＮＫインターフェイスモジュール１５、インターフェイス回路モジュール１１、処理モジュール１２、およびスイッチング回路モジュール１３、を含んでいる。
【００１９】
ＳＯＵＲＣＥインターフェイスモジュール１４は、ＳＩＮＫデバイスタイプの外部デバイスと通信するように構成されており、ＳＩＮＫインターフェイスモジュール１５は、ＳＯＵＲＣＥデバイスタイプの外部デバイスと通信するように構成されており、インターフェイス回路モジュール１１は、外部デバイスのＨＤＭＩインターフェイスに対して接続するように構成されている。処理モジュール１２は、インターフェイス回路モジュール１１に接続された外部デバイスのデバイスタイプを特定し、かつ、特定されたデバイスタイプに従ってスイッチング回路モジュール１３をコントロールするように構成されている。そして、スイッチング回路モジュール１３は、処理モジュール１２のコントロールの下で、ＳＩＮＫタイプの外部デバイスとＳＯＵＲＣＥインターフェイスモジュール１４との間の通信を実施するために、インターフェイス回路モジュール１１に接続された外部デバイスのＨＤＭＩインターフェイスとＳＯＵＲＣＥインターフェイスモジュール１４との間の接続を確立するように、または、ＳＯＵＲＣＥタイプの外部デバイスとＳＩＮＫインターフェイスモジュール１５との間の通信を実施するために、インターフェイス回路モジュール１１に接続された外部デバイスのＨＤＭＩインターフェイスとＳＩＮＫインターフェイスモジュール１５との間の接続を確立するように構成されている。
【００２０】
特定的に、外部デバイスのＨＤＭＩインターフェイスは、一般的にプラグ（ｐｌｕｇ）であり、かつ、プラグは、ケーブルを使用して外部デバイスに対して電気的に接続されている。インターフェイス回路モジュール１１への外部デバイスのＨＤＭＩインターフェイスのプラギング（ｐｌｕｇｇｉｎｇ）を促進するために、インターフェイス回路モジュール１１は、外部デバイスのＨＤＭＩインターフェイスを一致させてよい。インターフェイス回路モジュール１１が外部デバイスのＨＤＭＩインターフェイスに接続されている状態において、処理モジュール１２は、ＳＩＮＫデバイスタイプ又はＳＯＵＲＣＥデバイスタイプとして、インターフェイス回路モジュール１１に接続された外部デバイスのデバイスタイプを特定し得る。それにより、特定されたデバイスタイプに従って、スイッチング回路モジュール１３をコントロールしている。スイッチング回路モジュール１３は、処理モジュール１２のコントロールの下で、スイッチング回路モジュール１３とＳＯＵＲＣＥインターフェイスモジュール１４との間の接続を確立し、または、スイッチング回路モジュール１３とＳＩＮＫインターフェイスモジュール１５との間の接続を確立し得る。処理モジュール１２が、インターフェイス回路モジュール１１に接続された外部デバイスをＳＩＮＫデバイスとして特定する場合に、処理モジュール１２は、インターフェイス回路モジュール１１とＳＯＵＲＣＥインターフェイスモジュール１４との間の接続を確立するためにインターフェイス回路モジュール１１をコントロールし得る。それによって、外部デバイスのＨＤＭＩインターフェイスとＳＯＵＲＣＥインターフェイスモジュール１４との間の接続を実施している。処理モジュール１２が、インターフェイス回路モジュール１１に接続された外部デバイスをＳＯＵＲＣＥデバイスとして特定する場合に、処理モジュール１２は、インターフェイス回路モジュール１１とＳＩＮＫインターフェイスモジュール１５との間の接続を確立するためにインターフェイス回路モジュール１１をコントロールし得る。それによって、外部デバイスのＨＤＭＩインターフェイスとＳＩＮＫインターフェイスモジュール１５との間の接続を実施している。
【００２１】
本発明の実施例によって提供される高精細度マルチメディアインターフェイスＨＤＭＩユニットに従って、処理モジュールは、接続された外部デバイスのデバイスタイプを検出し、かつ、特定されたデバイスタイプに従って、外部デバイスのＨＤＭＩインターフェイスとソースインターフェイスモジュールとの間の接続を確立するように、または、外部デバイスのＨＤＭＩインターフェイスとシンクインターフェイスモジュールとの間の接続を確立するようにスイッチング回路モジュールをコントロールする。それによって、マルチメディア端末が、接続されたデバイスのデバイスタイプを特定すること、および、外部デバイスのＨＤＭＩインターフェイスとソースインターフェイスモジュール又はシンクインターフェイスモジュールとの間の接続を確立すること、を実施している。そして、マルチメディア端末に接続された異なるタイプのデバイスがポートと一致する場合には、マルチメディア端末が、ＳＯＵＲＣＥデバイス又はＳＩＮＫデバイスに対する接続を確立することが保証されること、を実施している。
【００２２】
図２は、本発明に従った、高精細度マルチメディアインターフェイスＨＤＭＩインターフェイスユニットに係る主要ダイヤグラムである。図２に示されるように、本発明の実施例１に係る技術的ソリューションに基づいて、本発明の実施例によって提供される高精細度マルチメディアインターフェイスＨＤＭＩインターフェイスユニット１０において、任意的に、インターフェイス回路モジュール１１は、電源サブモジュール２１と検出サブモジュール２２を含んでよい。
【００２３】
電源サブモジュール２１は、外部デバイスのＨＤＭＩインターフェイス上の電源ポートに接続するように構成されている。外部デバイスのＨＤＭＩインターフェイスに対して一定電圧を提供するためである。そして、検出サブモジュール２２は、外部デバイスのＨＤＭＩインターフェイス上のＨＰＤピンおよび処理モジュール１２に対して別個に接続するように構成されている。外部デバイスのＨＰＤピンからの検出されたレベル信号を処理モジュール１２に対して出力するためである。
【００２４】
望ましくは、電源サブモジュール２１は、電源コンポーネント、抵抗コンポーネント、および、第１スイッチコンポーネントによって形成されてよい。電源コンポーネントは、外部デバイスのＨＤＭＩインターフェイス上の電源ポートに接続されており、かつ、一定電圧を生成するように構成されている。または、ＨＤＭＩインターフェイスユニット１０が配置されているマルチメディア端末のボード電源に対して接続される。抵抗コンポーネントは、電源コンポーネントとグラウンド終端に別個に接続するように構成されている。そして、第１スイッチコンポーネントは、処理モジュール１２のコントロールの下で、外部デバイスのＨＤＭＩインターフェイス上の電源ポートから又はポートに、電源を切離し又は接続するように構成されている。
【００２５】
図２は、電源サブモジュール２１の実行可能な回路構成を提供している。ここで、電源コンポーネントは図２における電源ピン５Ｖ−ＨＤＭＩであり、抵抗コンポーネントは図２における抵抗Ｒ１とＲ２であり、そして、第１スイッチコンポーネントは図２におけるスイッチであるＳＷＩＴＣＨ１であってよい。
【００２６】
電源投入の後で、スイッチであるＳＷＩＴＣＨ１はクローズ状態（ｃｌｏｓｅｄ  ｓｔａｔｅ）にあり、ＨＤＭＩインターフェイスユニット１０の電源ピン５Ｖ−ＨＤＭＩは、ＨＤＭＩインターフェイスユニット１０が配置されているマルチメディア端末の基板上の５Ｖ電源に接続されている。外部デバイスのＨＤＭＩインターフェイスが接続されていない場合、ＨＰＤピンからのレベル信号が、ＨＤＭＩインターフェイスユニット１０が配置されているマルチメディア端末の基板によって提供される。抵抗コンポーネントの存在により、ＨＰＤピンからのものであり、かつ、検出サブモジュール２２によって検出されるレベル信号は、この場合には約２．５Ｖである。抵抗コンポーネントの抵抗値の範囲は１０ＫΩから５０ＫΩであってよい。そして、この実施例において、抵抗コンポーネントの抵抗値は２７ＫΩに設定されている。
【００２７】
望ましくは、検出サブモジュール２２は、レベル信号入力端、ＨＰＤ検出端、ＨＰＤ出力端、および第２スイッチコンポーネント、を含んでよい。図２に示されるように、レベル信号入力端は図２におけるＨＰＤ−ＩＮであり、ＨＰＤ検出端は図２におけるＨＰＤ−ＤＥＴであり、ＨＰＤ出力端は図２におけるＨＰＤ−ＯＵＴであり、かつ、第２スイッチコンポーネントは図２におけるＳＷＩＴＣＨ２であってよい。レベル信号入力端は外部デバイスのＨＤＭＩインターフェイス上のＨＰＤピンを使用してレベル信号入力を受取るように構成されており、ＨＰＤ検出端はレベル信号を検出するように構成されており、ＨＰＤ出力端はレベル信号を出力するように構成されており、かつ、第２スイッチコンポーネントは、処理モジュール１２のコントロールの下で、レベル信号入力端をＨＰＤ検出端またはＨＰＤ出力端に接続するように構成されている。
【００２８】
図２におけるＣＰＵは、本発明の実施例によって提供されるＨＤＭＩインターフェイスユニット１０における処理モジュール１２である。そして、ＣＰＵのＡＤピンは検出サブモジュール２２に接続されており、受け取ったレベル信号をサンプルする。レベル信号に従って、ＣＰＵが外部デバイスのデバイスタイプを決定するようにである。
【００２９】
任意的に、処理モジュール１２は、特定的に、検出サブモジュール２２を使用してＨＰＤピンからのレベル信号を取得するように構成されてよい。そして、レベル信号が第１プリセット閾値より小さいか等しい場合には、外部デバイスがＳＯＵＲＣＥデバイスタイプであるとして特定し、または、レベル信号が第２プリセット閾値より大きいか等しい場合には、外部デバイスがＳＩＮＫデバイスタイプであるとして特定するように構成されてよい。
【００３０】
特定的に、システムの電源投入の後で、スイッチであるＳＷＩＴＣＨ１はクローズ状態であり、つまり、ＨＤＭＩインターフェイスユニット１０が配置されているマルチメディア端末の基板によって、ＨＤＭＩインターフェイス上の５Ｖ電源が提供される。そして、ＳＷＩＴＣＨ２は、初期的に、ＨＤＭＩインターフェイス上のＨＰＤピンであるＨＰＤ−ＩＮをＨＰＤ−ＤＥＴに接続する。
【００３１】
インターフェイス回路モジュール１１に接続されている外部デバイスのデバイスタイプがＳＯＵＲＣＥデバイスである場合には、ＳＯＵＲＣＥデバイスの中なので、レベル信号は抵抗を使用してグラウンド（ｇｒｏｕｎｄ）端へプルダウン（ｐｕｌｌ  ｄｏｗｎ）される。ＳＯＵＲＣＥデバイスのＨＤＭＩインターフェイスのＨＰＤピンからのレベル信号のレベルは、初期状態における２．５Ｖから第１プリセット閾値より小さいか等しい値へ低減されてよいことが、回路原則に従って学習され得る。つまり、レベル信号のレベルは２．２Ｖ（選択された抵抗の抵抗値によって決定されるもの）より小さいか等しくてよい。そして、インターフェイス回路モジュール１１に接続されている外部デバイスのデバイスタイプがＳＩＮＫデバイスである場合には、ＳＩＮＫデバイスの中なので、レベル信号は抵抗を使用して５Ｖへプルアップ（ｐｕｌｌ  ｕｐ）される。ＳＩＮＫデバイスのＨＤＭＩインターフェイスのＨＰＤピンからのレベル信号のレベルは、初期状態における２．５Ｖから第２プリセット閾値より大きいか等しい値へ上昇されてよいことが、回路原則に従って学習され得る。つまり、レベル信号のレベルは３．９Ｖ（選択された抵抗の抵抗値によって決定されるもの）より大きいか等しくてよい。
【００３２】
処理モジュール１２がインターフェイス回路モジュール１１に接続された外部デバイスのタイプを特定した後で、ＳＷＩＴＣＨ１とＳＷＩＴＣＨ２は、さらにコントロールされる必要がある。外部デバイスがＳＯＵＲＣＥデバイスとして特定された場合に、処理モジュール１２は、スイッチであるＳＷＩＴＣＨ１をオープンするようにコントロールし、かつ、ＳＷＩＴＣＨ２をＨＰＤ−ＯＵＴに接続するようにコントロールする必要があり、そして、ＨＰＤピンからのレベル信号を処理のためにＨＤＭＩチップへハンドオーバー（ｈａｎｄ  ｏｖｅｒ）する必要がある。つまり、ＨＰＤピンからのレベル信号が、スイッチング回路モジュール１３を使用することによりＳＩＮＫインターフェイスモジュール１５にスイッチされる。そして、外部デバイスがＳＩＮＫデバイスである場合に、処理モジュール１２は、スイッチであるＳＷＩＴＣＨ１をクローズに、かつ、ＨＰＤ−ＯＵＴへ接続されたＳＷＩＴＣＨ２を、保持し続ける。ＨＰＤピンからのレベル信号が、スイッチング回路モジュール１３を使用することによりＳＯＵＲＣＥインターフェイスモジュール１４にスイッチされるようにである。
【００３３】
さらに、処理モジュール１２は、外部デバイスがＳＯＵＲＣＥデバイスタイプであるものと特定された場合に、外部デバイスのＨＤＭＩインターフェイスのデータポートとＳＩＮＫインターフェイスモジュール１５との間の接続を確立するように、さらに構成されてよい。または、レベル信号のレベルが第２プリセット閾値より大きいか等しい場合に、外部デバイスをＳＩＮＫデバイスタイプであるものと特定し、かつ、外部デバイスのＨＤＭＩインターフェイスのデータポートとＳＯＵＲＣＥインターフェイスモジュール１４との間の接続を確立するためにスイッチング回路モジュール１３をコントロールするように、構成されてよい。
【００３４】
任意的に、スイッチング回路モジュール１３は、第３スイッチコンポーネントを含んでよい。処理モジュール１２のコントロールの下で、外部デバイスのＨＤＭＩインターフェイスとＳＯＵＲＣＥインターフェイスモジュール１４との間の接続を確立するように、または、外部デバイスのＨＤＭＩインターフェイスとＳＩＮＫインターフェイスモジュール１５との間の接続を確立するように、構成されたものである。
【００３５】
第３スイッチコンポーネントは図２におけるスイッチであるＳＷＩＴＣＨ３であり、ＳＯＵＲＣＥインターフェイスモジュール１４は図２におけるＨＤＭＩ−ＳＯＵＲＣＥであり、かつ、ＳＩＮＫインターフェイスモジュール１５は図２におけるＨＤＭＩ−ＳＩＮＫであってよい。
【００３６】
インターフェイス回路モジュール１１が外部デバイスのＨＤＭＩインターフェイスに接続された後で、ピンＨＰＤ−ＤＥＴは、外部デバイスのＨＤＭＩインターフェイスのＨＰＤピンからのレベル信号のレベルを検出し得る。レベル信号のレベルが２．２Ｖ（選択された抵抗の抵抗値によって決定されるもの）より小さいか等しい場合に、外部デバイスのデバイスタイプがＳＯＵＲＣＥデバイスとして特定され、かつ、処理モジュール１２は、外部デバイスのＨＤＭＩインターフェイスをＨＤＭＩ−ＳＩＮＫに対して接続するようにスイッチであるＳＷＩＴＣＨ３をコントロールする。
【００３７】
ピンＨＰＤ−ＤＥＴによって検出されたレベル信号のレベルが３．９Ｖ（選択された抵抗の抵抗値によって決定されるもの）より大きいか等しい場合に、外部デバイスのデバイスタイプがＳＩＮＫデバイスとして特定され、かつ、処理モジュール１２は、外部デバイスのＨＤＭＩインターフェイスをＨＤＭＩ−ＳＯＵＲＣＥに対して接続するようにスイッチであるＳＷＩＴＣＨ３をコントロールする。
【００３８】
本発明の実施例によって提供される高精細度マルチメディアインターフェイスＨＤＭＩユニットに従って、外部デバイスのデバイスタイプが、外部デバイスのＨＤＭＩインターフェイスのＨＰＤピンからのレベル信号のレベルにおける変化を検出することによって特定される。そして、処理モジュールは、第１スイッチコンポーネント、第２スイッチコンポーネント、および第３スイッチコンポーネントの対応する動作をコントロールし、それによって、マルチメディア端末に接続された異なるタイプのデバイスがポートと一致する場合に、マルチメディア端末のＳＯＵＲＣＥデバイスまたはＳＩＮＫデバイスへの接続の確立が保証されることを実施している。
【００３９】
本発明の別の実施例は、マルチメディア端末を提供する。上述のあらゆる一つの実施例によって提供される高精細度マルチメディアＨＤＭＩインターフェイスユニット１０を含んでおり、ここで、ＨＤＭＩインターフェイスユニット１０は、ＳＯＵＲＣＥデバイスタイプの外部デバイスのＨＤＭＩインターフェイスに接続するように、または、ＳＩＮＫデバイスタイプの外部デバイスのＨＤＭＩインターフェイスに接続するように構成されている。
【００４０】
ＨＤＭＩインターフェイスユニット１０における処理モジュール１２は、マルチメディア端末の中央処理ユニットＣＰＵであってよい。
【００４１】
実施例によって提供されるマルチメディア端末は、高精細度マルチメディアインターフェイスＨＤＭＩユニットを含んでよく、マルチメディア端末に接続された外部デバイスのタイプがポートと一致しない場合にマルチメディア端末はＳＯＵＲＣＥデバイスまたはＳＩＮＫデバイスへの接続を確立することができないという、従来技術における問題を解決している。
【００４２】
当業者であれば、方法の実施例のステップの全てまたは一部分は、プログラムインストラクション関連のハードウェアによって実施され得ることが理解されよう。上述のプログラムは、コンピュータで読取り可能なストレージ媒体に保管されてよい。プログラムが実行されるとき、方法の実施例のステップが実行される。上述のストレージ媒体は、プログラムコードを保管することができるあらゆる媒体を含んでいる。ＲＯＭ、ＲＡＭ、磁気ディスク、または光ディスクといったものである。
【００４３】
最後に、上述の実施例は、単に本発明の技術的ソリューションを説明することを意図するものであり、本発明を限定するものではないことに留意すべきである。本発明は、上述の実施例に関して詳細に説明されているが、当業者であれば、上述の実施例において説明された技術的ソリューションに対する変更をさらに行い得ること、または、本発明の実施例に係る技術的ソリューションの範囲から逸脱することなく、いくつか又は全ての技術的特徴に対する均等な置き換えをなし得ることを、理解すべきである。
【図１】
2016521023.tif 000003
【図２】
2016521023.tif 000004
【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
高精細度マルチメディアインターフェイスＨＤＭＩユニットであり、
ソースであるＳＯＵＲＣＥインターフェイスモジュールと、シンクであるＳＩＮＫインターフェイスモジュールと、インターフェイス回路モジュールと、処理モジュールと、スイッチング回路モジュールと、を含み、
前記ＳＯＵＲＥインターフェイスモジュールは、ＳＩＮＫデバイスタイプの外部デバイスと通信する、ように構成されており、
前記ＳＩＮＫインターフェイスモジュールは、ＳＯＵＲＣＥデバイスタイプの外部デバイスと通信する、ように構成されており、
前記インターフェイス回路モジュールは、外部デバイスのＨＤＭＩインターフェイスに対して接続する、ように構成されており、
前記処理モジュールは、前記インターフェイス回路モジュールに接続された前記外部デバイスのデバイスタイプを特定し、かつ、前記特定されたデバイス対応に従って、前記スイッチング回路モジュールをコントロールする、ように構成されており、かつ、
前記スイッチング回路モジュールは、前記処理モジュールのコントロールの下で、前記インターフェイス回路モジュールに接続された前記外部デバイスの前記ＨＤＭＩインターフェイスと前記ＳＯＵＲＣＥインターフェイスモジュールとの間の接続を確立するように、または、前記インターフェイス回路モジュールに接続された前記外部デバイスの前記ＨＤＭＩインターフェイスと前記ＳＩＮＫインターフェイスモジュールとの間の接続を確立するように、構成されている、
ＨＤＭＩユニット。
【請求項２】
前記インターフェイス回路モジュールは、
電源サブモジュールであり、前記外部デバイスの前記ＨＤＭＩインターフェイス上の電源ポートに接続するように構成されており、前記外部デバイスの前記ＨＤＭＩインターフェイスに対して一定電圧を提供するための、電源サブモジュールと、
検出サブモジュールであり、前記外部デバイスの前記ＨＤＭＩインターフェイス上のＨＰＤピンおよび前記処理モジュールに対して別個に接続するように構成されており、前記外部デバイスの前記ＨＰＤピンからのレベル信号を前記処理モジュールに対して出力するための、検出サブモジュールと、
を含む、請求項１に記載のＨＤＭＩユニット。
【請求項３】
前記処理モジュールは、特定的に、
検出サブモジュールを使用して前記ＨＰＤピンからのレベル信号を取得し、かつ、
前記レベル信号のレベルが第１プリセット閾値より小さいか等しい場合に、前記外部デバイスがＳＯＵＲＣＥデバイスタイプであるとして特定し、または、
前記レベル信号のレベルが第２プリセット閾値より大きいか等しい場合に、前記外部デバイスがＳＩＮＫデバイスタイプであるとして特定する、
ように構成されている、
請求項２に記載のＨＤＭＩユニット。
【請求項４】
前記処理モジュールは、
前記外部デバイスがＳＯＵＲＣＥデバイスであるとして特定される場合に、前記外部デバイスの前記ＨＤＭＩインターフェイスのデータポートと前記ＳＩＮＫインターフェイスモジュールとの間の接続を確立するように、前記スイッチング回路モジュールをコントロールし、または、
前記レベル信号のレベルが第２プリセット閾値より大きいか等しい場合に、前記外部デバイスがＳＩＮＫデバイスタイプであるとして特定し、かつ、前記外部デバイスの前記ＨＤＭＩインターフェイスのデータポートと前記ＳＯＵＲＣＥインターフェイスモジュールとの間の接続を確立するように、前記スイッチング回路モジュールをコントロールする、
ように構成されている、
請求項２または３に記載のＨＤＭＩユニット。
【請求項５】
前記電源サブモジュールは、
前記一定電圧を生成し、または、前記ＨＤＭＩユニットが配置されているマルチメディア端末のボード電源に接続する、ように構成されている、電源コンポーネントと、
前記電源コンポーネントとグラウンド終端に別個に接続する、ように構成されている、抵抗コンポーネントと、
前記処理モジュールのコントロールの下で、前記電源コンポーネントを前記外部デバイスの前記ＨＤＭＩインターフェイス上の電源ポートから切離し、または、電源ポートに接続する、ように構成されている、第１スイッチコンポーネントと、
を含む、請求項２乃至４いずれか一項に記載のＨＤＭＩユニット。
【請求項６】
前記検出サブモジュールは、
前記外部デバイスの前記ＨＤＭＩインターフェイス上の前記ＨＰＤピンを使用してレベル信号入力を受取る、ように構成されている、レベル信号入力端と、
前記レベル信号を検出する、ように構成されている、ＨＰＤ検出端と、
前記レベル信号を出力する、ように構成されている、ＨＰＤ出力端と、
前記処理モジュールのコントロールの下で、前記レベル信号入力端と前記ＨＰＤ検出端との間の接続、または、前記レベル信号入力端と前記ＨＰＤ出力端との間の接続を確立する、ように構成されている、第２スイッチングコンポーネントと、
を含む、請求項２乃至５いずれか一項に記載のＨＤＭＩユニット。
【請求項７】
前記スイッチング回路モジュールは、
前記処理モジュールのコントロールの下で、前記外部デバイスの前記ＨＤＭＩインターフェイスと前記ＳＯＵＲＣＥインターフェイスモジュールとの間の接続を確立し、または、前記外部デバイスの前記ＨＤＭＩインターフェイスと前記ＳＩＮＫインターフェイスモジュールとの間の接続を確立する、ように構成されている、第３スイッチングコンポーネント、を含む、
請求項１乃至６いずれか一項に記載のＨＤＭＩユニット。
【請求項８】
請求項１乃至７いずれか一項に記載のＨＤＭＩユニットを少なくとも一つ含み、
前記ＨＤＭＩユニットは、ＳＯＵＲＣＥデバイスタイプの外部デバイスのＨＤＭＩインターフェイスに接続し、または、ＳＩＮＫデバイスタイプの外部デバイスのＨＤＭＩインターフェイスに接続する、ように構成されている、
マルチメディア端末。
【請求項９】
前記ＨＤＭＩユニットにおける前記処理モジュールは、前記マルチメディア端末の中央処理ユニットＣＰＵである、
請求項８に記載のマルチメディア端末。
【手続補正２】
【補正対象書類名】明細書
【補正対象項目名】全文
【補正方法】変更
【補正の内容】
【発明の詳細な説明】
【技術分野】
【０００１】
本発明は、通信技術に関する。特定的には、高精細度マルチメディアインターフェイスＨＤＭＩユニットおよびマルチメディア端末に関する。
【０００２】
本特許出願は、２０１３年４月２日付で中国特許庁に提出された中国特許出願第２０１３１０１１２９８０．Ｘ号に基づく優先権を主張するものである。タイトルは”ＨＩＧＨ−ＤＥＦＩＮＩＴＩＯＮ  ＭＵＬＴＩＭＥＤＩＡ  ＩＮＴＥＲＦＡＣＥ  ＨＤＭＩ  ＩＮＴＥＲＦＡＣＥ  ＵＮＩＴ  ＡＮＤ  ＭＵＬＴＩＭＥＤＩＡ  ＴＥＲＭＩＮＡＬ”であり、その全体が、ここにおいて参照として包含されている。
【背景技術】
【０００３】
従来のマルチメディア端末においては、一般的に２つ又はさらにそれ以上の高彩度マルチメディアインターフェイスが存在している（Ｈｉｇｈ−Ｄｅｆｉｎｉｔｉｏｎ  Ｍｕｌｔｉｍｅｄｉａ  Ｉｎｔｅｒｆａｃｅ、略してＨＤＭＩ）、いくつかのＨＤＭＩインターフェイスは、ソース（ＳＯＵＲＣＥ）デバイス（ＳＯＵＲＣＥ）に対して接続するためだけに使用され得る。例えば、セットトップボックス（Ｓｅｔ  Ｔｏｐ  Ｂｏｘ、略してＳＴＢ）である。そして、いくつかのＨＤＭＩインターフェイスは、シンク（ＳＩＮＫ）デバイス（ＳＩＮＫ）に対して接続するためだけに使用され得る。例えば、テレビ（Ｔｅｌｅｖｉｓｉｏｎ、略してＴＶ）である。
【０００４】
従来技術において、ＳＯＵＲＣＥデバイスに接続された、マルチメディア端末のＨＤＭＩインターフェイスと、に接続された、マルチメディア端末のインターフェイスとは、構成的に同一のものである。接続されたデバイスのタイプがポートのタイプと一致しない場合、前記マルチメディア端末とＳＯＵＲＣＥデバイス又はＳＩＮＫデバイスとの間の接続を確立することができず、ユーザに対して不便をもたらしている。
【発明の概要】
【発明が解決しようとする課題】
【０００５】
本発明は、マルチメディア端末に接続されたデバイスのタイプとポートのタイプが一致しない場合に、ＳＯＵＲＣＥデバイス又はＳＩＮＫデバイスに対して前記マルチメディア端末が接続を確立できないという問題を解決するための、高精細度マルチメディアインターフェイスＨＤＭＩユニットおよびマルチメディア端末を提供する。
【課題を解決するための手段】
【０００６】
第１の態様に従って、本発明は、高精細度マルチメディアＨＤＭＩユニットを提供する。ソースであるＳＯＵＲＣＥインターフェイスモジュールと、シンクであるＳＩＮＫインターフェイスモジュールと、インターフェイス回路モジュールと、処理モジュールと、スイッチング回路モジュールと、を含むものである。前記ソースであるＳＯＵＲＥインターフェイスモジュールはＳＩＮＫデバイスと通信するように構成されており、前記シンクであるＳＩＮＫインターフェイスモジュールはＳＯＵＲＣＥデバイスと通信するように構成されており、前記インターフェイス回路モジュールは外部デバイスのＨＤＭＩインターフェイスに対して接続するように構成されている。前記処理モジュールは前記インターフェイス回路モジュールに接続された前記外部デバイスのデバイスタイプを特定して、前記特定されたデバイス対応に従って前記スイッチング回路モジュールをコントロールするように構成されている。そして、前記スイッチング回路モジュールは、前記処理モジュールのコントロールの下で、前記インターフェイス回路モジュールに接続された前記外部デバイスの前記ＨＤＭＩインターフェイスと前記ＳＯＵＲＣＥインターフェイスモジュールとの間の接続を確立するように、または、前記インターフェイス回路モジュールに接続された前記外部デバイスの前記ＨＤＭＩインターフェイスと前記ＳＩＮＫインターフェイスモジュールとの間の接続を確立するように構成されている。
【０００７】
第１の態様に係る第１の可能な実施例において、前記インターフェイス回路モジュールは、電源サブモジュールであり、前記外部デバイスの前記ＨＤＭＩインターフェイス上の電源ポートに接続するように構成されており、前記外部デバイスの前記ＨＤＭＩインターフェイスに対して一定電圧を提供するための電源サブモジュールと、検出サブモジュールであり、前記外部デバイスの前記ＨＤＭＩインターフェイス上のＨＰＤピンおよび前記処理モジュールに対して別個に接続するように構成されており、前記外部デバイスの前記ＨＰＤピンからのレベル信号を前記処理モジュールに対して出力するための、検出サブモジュールと、を含む。
【０００８】
第１の態様に係る第１の可能な実施例に従って、第２の可能な実施例において、前記処理モジュールは、特定的に、検出サブモジュールを使用して前記ＨＰＤピンからのレベル信号を取得し、かつ、前記レベル信号のレベルが第１プリセット閾値より小さいか等しい場合に、前記外部デバイスがＳＯＵＲＣＥデバイスタイプであるとして特定して、前記デバイスの前記ＨＤＭＩインターフェイスのデータポートを前記ＳＩＮＫインターフェイスモジュールに接続するように前記スイッチング回路モジュールをコントロールし、または、前記レベル信号のレベルが第２プリセット閾値より大きいか等しい場合に、前記外部デバイスがＳＩＮＫデバイスタイプであるとして特定するように構成されている。
【０００９】
第１の態様に係る第１の可能な実施例および第１の態様に係る第２の可能な実施例に従って、第３の可能な実施例において、前記処理モジュールは、さらに、前記外部デバイスがＳＯＵＲＣＥデバイスであるとして特定される場合に、前記外部デバイスの前記ＨＤＭＩインターフェイスのデータポートと前記ＳＩＮＫインターフェイスモジュールとの間の接続を確立するように前記スイッチング回路モジュールをコントロールし、または、前記レベル信号のレベルが第２プリセット閾値より大きいか等しい場合に、前記外部デバイスがＳＩＮＫデバイスタイプであるとして特定して、前記外部デバイスの前記ＨＤＭＩインターフェイスのデータポートと前記ＳＯＵＲＣＥインターフェイスモジュールとの間の接続を確立するように前記スイッチング回路モジュールをコントロールするように構成されている。
【００１０】
第１の態様に係る第１の可能な実施例、第１の態様に係る第２の可能な実施例、および第１の態様に係る第３の可能な実施例に関して、第４の可能な実施例において、前記電源サブモジュールは、前記一定電圧を生成し又は前記ＨＤＭＩユニットが配置されているマルチメディア端末のボード電源に接続するように構成されている電源コンポーネントと、前記電源コンポーネントとグラウンド終端に別個に接続するように構成されている抵抗コンポーネントと、前記処理モジュールのコントロールの下で、前記電源コンポーネントを前記外部デバイスの前記ＨＤＭＩインターフェイス上の電源ポートから切離し又は接続するように構成されている第１スイッチコンポーネントと、を含む。
【００１１】
第１の態様に係る第１の可能な実施例、第１の態様に係る第２の可能な実施例、第１の態様に係る第３の可能な実施例、および第１の態様に係る第４の可能な実施例に関して、第５の可能な実施例において、前記検出サブモジュールは、前記外部デバイスの前記ＨＤＭＩインターフェイス上の前記ＨＰＤピンを使用してレベル信号入力を受取るように構成されているレベル信号入力端と、前記レベル信号を検出するように構成されているＨＰＤ検出端と、前記レベル信号を出力するように構成されているＨＰＤ出力端と、前記処理モジュールのコントロールの下で、前記レベル信号入力端と前記ＨＰＤ検出端との間の接続又は前記レベル信号入力端と前記ＨＰＤ出力端との間の接続を確立するように構成されている第２スイッチングコンポーネントと、を含む。
【００１２】
第１の態様に係る第１の可能な実施例、第１の態様に係る第２の可能な実施例、第１の態様に係る第３の可能な実施例、第１の態様に係る第４の可能な実施例、および第１の態様に係る第５の可能な実施例に関して、第６の可能な実施例において、前記スイッチング回路モジュールは、前記処理モジュールのコントロールの下で、前記外部デバイスの前記ＨＤＭＩインターフェイスと前記ＳＯＵＲＣＥインターフェイスモジュールとの間の接続を確立し、または、前記外部デバイスの前記ＨＤＭＩインターフェイスと前記ＳＩＮＫインターフェイスモジュールとの間の接続を確立する、ように構成されている第３スイッチングコンポーネントを含む。
【００１３】
第２の態様に従って、本発明は、マルチメディア端末を提供する。本発明のあらゆる実施例によって提供される少なくとも一つの高精細度マルチメディアインターフェイスＨＤＭＩユニットを含むものである。ここで、前記ＨＤＭＩユニットは、ＳＯＵＲＣＥデバイスタイプの外部デバイスのＨＤＭＩインターフェイスに接続し又はＳＩＮＫデバイスタイプの外部デバイスのＨＤＭＩインターフェイスに接続するように構成されている。
【００１４】
第２の態様に係る第１の可能な実施例において、前記ＨＤＭＩユニットにおける前記処理モジュールは、前記マルチメディア端末の中央処理ユニットＣＰＵである。
【００１５】
本発明によって提供される高精細度マルチメディアインターフェイスＨＤＭＩユニットおよびマルチメディア端末に従って、処理モジュールは、接続された外部デバイスのデバイスタイプを検出し、かつ、特定されたデバイスタイプに従って、スイッチング回路モジュールをコントロールする。外部デバイスのＨＤＭＩインターフェイスとソースであるＳＯＵＲＣＥインターフェイスモジュールとの間の接続を確立するため、または、外部デバイスのＨＤＭＩインターフェイスとシンクであるＳＩＮＫインターフェイスモジュールとの間の接続を確立するためである。それによって、マルチメディア端末は接続された外部デバイスのタイプを特定、そして、外部デバイスのＨＤＭＩインターフェイスとソースインターフェイス又はシンクインターフェイスとの間の接続の確立を実施する。かつ、マルチメディア端末に接続された異なるデバイスのタイプがポートと一致する場合に、マルチメディア端末がＳＯＵＲＣＥデバイス又はＳＩＮＫデバイスに対して接続を確立することの保証を実施する。
【図面の簡単な説明】
【００１６】
本発明の実施例における技術的ソリューションをより明確に説明するように、実施例を説明するために必要な添付の図面について以降に簡単に紹介する。明らかに、以降の説明において添付の図面は、本発明のいくつかの実施例を示すものであって、当業者であれば、創造的な努力をすることなく、これらの添付の図面から他の図面でさえ引き出し得る。
【図１】図１は、本発明に従った、高精細度マルチメディアインターフェイスＨＤＭＩユニットに係る実施例１の模式的な構成ダイヤグラムである。
【図２】図２は、本発明に従った、高精細度マルチメディアインターフェイスＨＤＭＩユニットに係る主要ダイヤグラムである。
【発明を実施するための形態】
【００１７】
本発明の実施例に係る目的、技術的ソリューション、および利点をより明確にするために、以降に、本発明の実施例において添付の実施例に関して、本発明の実施例における技術的ソリューションを明確かつ徹底的に説明する。明らかに、説明される実施例は、本発明の全てではなく、むしろ一部分である。創造的な努力をすることなく本発明の実施例に基づいて当業者によって獲得される他の全ての実施は、本発明の範囲内にあるものである。
【００１８】
図１は、本発明に従った、高精細度マルチメディアインターフェイスＨＤＭＩユニットに係る実施例１の模式的な構成ダイヤグラムである。図１に示されるように、高精細度マルチメディアインターフェイスＨＤＭＩユニット１０が、本発明に係る一つの実施例によって提供され、ＳＯＵＲＣＥインターフェイスモジュール１４、ＳＩＮＫインターフェイスモジュール１５、インターフェイス回路モジュール１１、処理モジュール１２、およびスイッチング回路モジュール１３、を含んでいる。
【００１９】
ＳＯＵＲＣＥインターフェイスモジュール１４は、ＳＩＮＫデバイスタイプの外部デバイスと通信するように構成されており、ＳＩＮＫインターフェイスモジュール１５は、ＳＯＵＲＣＥデバイスタイプの外部デバイスと通信するように構成されており、インターフェイス回路モジュール１１は、外部デバイスのＨＤＭＩインターフェイスに対して接続するように構成されている。処理モジュール１２は、インターフェイス回路モジュール１１に接続された外部デバイスのデバイスタイプを特定し、かつ、特定されたデバイスタイプに従ってスイッチング回路モジュール１３をコントロールするように構成されている。そして、スイッチング回路モジュール１３は、処理モジュール１２のコントロールの下で、ＳＩＮＫタイプデバイスである外部デバイスとＳＯＵＲＣＥインターフェイスモジュール１４との間の通信を実施するために、インターフェイス回路モジュール１１に接続された外部デバイスのＨＤＭＩインターフェイスとＳＯＵＲＣＥインターフェイスモジュール１４との間の接続を確立するように、または、ＳＯＵＲＣＥタイプデバイスである外部デバイスとＳＩＮＫインターフェイスモジュール１５との間の通信を実施するために、インターフェイス回路モジュール１１に接続された外部デバイスのＨＤＭＩインターフェイスとＳＩＮＫインターフェイスモジュール１５との間の接続を確立するように構成されている。
【００２０】
特定的に、外部デバイスのＨＤＭＩインターフェイスは、一般的にプラグ（ｐｌｕｇ）であり、かつ、プラグは、ケーブルを使用して外部デバイスに対して電気的に接続されている。インターフェイス回路モジュール１１への外部デバイスのＨＤＭＩインターフェイスのプラギング（ｐｌｕｇｇｉｎｇ）を促進するために、インターフェイス回路モジュール１１は、外部デバイスのＨＤＭＩインターフェイスを一致させてよい。インターフェイス回路モジュール１１が外部デバイスのＨＤＭＩインターフェイスに接続されている状態において、処理モジュール１２は、ＳＩＮＫデバイスタイプ又はＳＯＵＲＣＥデバイスタイプとして、インターフェイス回路モジュール１１に接続された外部デバイスのデバイスタイプを特定し得る。それにより、特定されたデバイスタイプに従って、スイッチング回路モジュール１３をコントロールしている。スイッチング回路モジュール１３は、処理モジュール１２のコントロールの下で、スイッチング回路モジュール１３とＳＯＵＲＣＥインターフェイスモジュール１４との間の接続を確立し、または、スイッチング回路モジュール１３とＳＩＮＫインターフェイスモジュール１５との間の接続を確立し得る。処理モジュール１２が、インターフェイス回路モジュール１１に接続された外部デバイスをＳＩＮＫデバイスとして特定する場合に、処理モジュール１２は、インターフェイス回路モジュール１１とＳＯＵＲＣＥインターフェイスモジュール１４との間の接続を確立するためにインターフェイス回路モジュール１１をコントロールし得る。それによって、外部デバイスのＨＤＭＩインターフェイスとＳＯＵＲＣＥインターフェイスモジュール１４との間の接続を実施している。処理モジュール１２が、インターフェイス回路モジュール１１に接続された外部デバイスをＳＯＵＲＣＥデバイスとして特定する場合に、処理モジュール１２は、インターフェイス回路モジュール１１とＳＩＮＫインターフェイスモジュール１５との間の接続を確立するためにインターフェイス回路モジュール１１をコントロールし得る。それによって、外部デバイスのＨＤＭＩインターフェイスとＳＩＮＫインターフェイスモジュール１５との間の接続を実施している。
【００２１】
本発明の実施例によって提供される高精細度マルチメディアインターフェイスＨＤＭＩユニットに従って、処理モジュールは、接続された外部デバイスのデバイスタイプを検出し、かつ、特定されたデバイスタイプに従って、外部デバイスのＨＤＭＩインターフェイスとソースインターフェイスモジュールとの間の接続を確立するように、または、外部デバイスのＨＤＭＩインターフェイスとシンクインターフェイスモジュールとの間の接続を確立するようにスイッチング回路モジュールをコントロールする。それによって、マルチメディア端末が、接続されたデバイスのデバイスタイプを特定すること、および、外部デバイスのＨＤＭＩインターフェイスとソースインターフェイスモジュール又はシンクインターフェイスモジュールとの間の接続を確立すること、を実施している。そして、マルチメディア端末に接続された異なるタイプのデバイスがポートと一致する場合には、マルチメディア端末が、ＳＯＵＲＣＥデバイス又はＳＩＮＫデバイスに対する接続を確立することが保証されること、を実施している。
【００２２】
図２は、本発明に従った、高精細度マルチメディアインターフェイスＨＤＭＩユニットに係る主要ダイヤグラムである。図２に示されるように、本発明の実施例１に係る技術的ソリューションに基づいて、本発明の実施例によって提供される高精細度マルチメディアインターフェイスＨＤＭＩユニット１０において、任意的に、インターフェイス回路モジュール１１は、電源サブモジュール２１と検出サブモジュール２２を含んでよい。
【００２３】
電源サブモジュール２１は、外部デバイスのＨＤＭＩインターフェイス上の電源ポートに接続するように構成されている。外部デバイスのＨＤＭＩインターフェイスに対して一定電圧を提供するためである。そして、検出サブモジュール２２は、外部デバイスのＨＤＭＩインターフェイス上のＨＰＤピンおよび処理モジュール１２に対して別個に接続するように構成されている。外部デバイスのＨＰＤピンからの検出されたレベル信号を処理モジュール１２に対して出力するためである。
【００２４】
望ましくは、電源サブモジュール２１は、電源コンポーネント、抵抗コンポーネント、および、第１スイッチコンポーネントによって形成されてよい。電源コンポーネントは、外部デバイスのＨＤＭＩインターフェイス上の電源ポートに接続されており、かつ、一定電圧を生成するように構成されている。または、ＨＤＭＩユニット１０が配置されているマルチメディア端末のボード電源に対して接続される。抵抗コンポーネントは、電源コンポーネントとグラウンド終端に別個に接続するように構成されている。そして、第１スイッチコンポーネントは、処理モジュール１２のコントロールの下で、外部デバイスのＨＤＭＩインターフェイス上の電源ポートから又はポートに、電源を切離し又は接続するように構成されている。
【００２５】
図２は、電源サブモジュール２１の実行可能な回路構成を提供している。ここで、電源コンポーネントは図２における電源ピン５Ｖ−ＨＤＭＩであり、抵抗コンポーネントは図２における抵抗Ｒ１とＲ２であり、そして、第１スイッチコンポーネントは図２におけるスイッチであるＳＷＩＴＣＨ１であってよい。
【００２６】
電源投入の後で、スイッチであるＳＷＩＴＣＨ１はクローズ状態（ｃｌｏｓｅｄ  ｓｔａｔｅ）にあり、ＨＤＭＩユニット１０の電源ピン５Ｖ−ＨＤＭＩは、ＨＤＭＩユニット１０が配置されているマルチメディア端末の基板上の５Ｖ電源に接続されている。外部デバイスのＨＤＭＩインターフェイスが接続されていない場合、ＨＰＤピンからのレベル信号が、ＨＤＭＩユニット１０が配置されているマルチメディア端末の基板によって提供される。抵抗コンポーネントの存在により、ＨＰＤピンからのものであり、かつ、検出サブモジュール２２によって検出されるレベル信号は、この場合には約２．５Ｖである。抵抗コンポーネントの抵抗値の範囲は１０ＫΩから５０ＫΩであってよい。そして、この実施例において、抵抗コンポーネントの抵抗値は２７ＫΩに設定されている。
【００２７】
望ましくは、検出サブモジュール２２は、レベル信号入力端、ＨＰＤ検出端、ＨＰＤ出力端、および第２スイッチコンポーネント、を含んでよい。図２に示されるように、レベル信号入力端は図２におけるＨＰＤ−ＩＮであり、ＨＰＤ検出端は図２におけるＨＰＤ−ＤＥＴであり、ＨＰＤ出力端は図２におけるＨＰＤ−ＯＵＴであり、かつ、第２スイッチコンポーネントは図２におけるＳＷＩＴＣＨ２であってよい。レベル信号入力端は外部デバイスのＨＤＭＩインターフェイス上のＨＰＤピンを使用してレベル信号入力を受取るように構成されており、ＨＰＤ検出端はレベル信号を検出するように構成されており、ＨＰＤ出力端はレベル信号を出力するように構成されており、かつ、第２スイッチコンポーネントは、処理モジュール１２のコントロールの下で、レベル信号入力端をＨＰＤ検出端またはＨＰＤ出力端に接続するように構成されている。
【００２８】
図２におけるＣＰＵは、本発明の実施例によって提供されるＨＤＭＩユニット１０における処理モジュール１２である。そして、ＣＰＵのＡＤピンは検出サブモジュール２２に接続されており、受け取ったレベル信号をサンプルする。レベル信号に従って、ＣＰＵが外部デバイスのデバイスタイプを決定するようにである。
【００２９】
任意的に、処理モジュール１２は、特定的に、検出サブモジュール２２を使用してＨＰＤピンからのレベル信号を取得するように構成されてよい。そして、レベル信号が第１プリセット閾値より小さいか等しい場合には、外部デバイスがＳＯＵＲＣＥデバイスタイプであるとして特定し、または、レベル信号が第２プリセット閾値より大きいか等しい場合には、外部デバイスがＳＩＮＫデバイスタイプであるとして特定するように構成されてよい。
【００３０】
特定的に、システムの電源投入の後で、スイッチであるＳＷＩＴＣＨ１はクローズ状態であり、つまり、ＨＤＭＩユニット１０が配置されているマルチメディア端末の基板によって、ＨＤＭＩインターフェイス上の５Ｖ電源が提供される。そして、ＳＷＩＴＣＨ２は、初期的に、ＨＤＭＩインターフェイス上のＨＰＤピンであるＨＰＤ−ＩＮをＨＰＤ−ＤＥＴに接続する。
【００３１】
インターフェイス回路モジュール１１に接続されている外部デバイスのデバイスタイプがＳＯＵＲＣＥデバイスである場合には、ＳＯＵＲＣＥデバイスの中なので、レベル信号は抵抗を使用してグラウンド（ｇｒｏｕｎｄ）端へプルダウン（ｐｕｌｌ  ｄｏｗｎ）される。ＳＯＵＲＣＥデバイスのＨＤＭＩインターフェイスのＨＰＤピンからのレベル信号のレベルは、初期状態における２．５Ｖから第１プリセット閾値より小さいか等しい値へ低減されてよいことが、回路原則に従って学習され得る。つまり、レベル信号のレベルは２．２Ｖ（選択された抵抗の抵抗値によって決定されるもの）より小さいか等しくてよい。そして、インターフェイス回路モジュール１１に接続されている外部デバイスのデバイスタイプがＳＩＮＫデバイスである場合には、ＳＩＮＫデバイスの中なので、レベル信号は抵抗を使用して５Ｖへプルアップ（ｐｕｌｌ  ｕｐ）される。ＳＩＮＫデバイスのＨＤＭＩインターフェイスのＨＰＤピンからのレベル信号のレベルは、初期状態における２．５Ｖから第２プリセット閾値より大きいか等しい値へ上昇されてよいことが、回路原則に従って学習され得る。つまり、レベル信号のレベルは３．９Ｖ（選択された抵抗の抵抗値によって決定されるもの）より大きいか等しくてよい。
【００３２】
処理モジュール１２がインターフェイス回路モジュール１１に接続された外部デバイスのタイプを特定した後で、ＳＷＩＴＣＨ１とＳＷＩＴＣＨ２は、さらにコントロールされる必要がある。外部デバイスがＳＯＵＲＣＥデバイスとして特定された場合に、処理モジュール１２は、スイッチであるＳＷＩＴＣＨ１をオープンするようにコントロールし、かつ、ＳＷＩＴＣＨ２をＨＰＤ−ＯＵＴに接続するようにコントロールする必要があり、そして、ＨＰＤピンからのレベル信号を処理のためにＨＤＭＩチップへハンドオーバー（ｈａｎｄ  ｏｖｅｒ）する必要がある。つまり、ＨＰＤピンからのレベル信号が、スイッチング回路モジュール１３を使用することによりＳＩＮＫインターフェイスモジュール１５にスイッチされる。そして、外部デバイスがＳＩＮＫデバイスである場合に、処理モジュール１２は、スイッチであるＳＷＩＴＣＨ１をクローズに、かつ、ＨＰＤ−ＯＵＴへ接続されたＳＷＩＴＣＨ２を、保持し続ける。ＨＰＤピンからのレベル信号が、スイッチング回路モジュール１３を使用することによりＳＯＵＲＣＥインターフェイスモジュール１４にスイッチされるようにである。
【００３３】
さらに、処理モジュール１２は、外部デバイスがＳＯＵＲＣＥデバイスタイプであるものと特定された場合に、外部デバイスのＨＤＭＩインターフェイスのデータポートとＳＩＮＫインターフェイスモジュール１５との間の接続を確立するように、さらに構成されてよい。または、レベル信号のレベルが第２プリセット閾値より大きいか等しい場合に、外部デバイスをＳＩＮＫデバイスタイプであるものと特定し、かつ、外部デバイスのＨＤＭＩインターフェイスのデータポートとＳＯＵＲＣＥインターフェイスモジュール１４との間の接続を確立するためにスイッチング回路モジュール１３をコントロールするように、構成されてよい。
【００３４】
任意的に、スイッチング回路モジュール１３は、第３スイッチコンポーネントを含んでよい。処理モジュール１２のコントロールの下で、外部デバイスのＨＤＭＩインターフェイスとＳＯＵＲＣＥインターフェイスモジュール１４との間の接続を確立するように、または、外部デバイスのＨＤＭＩインターフェイスとＳＩＮＫインターフェイスモジュール１５との間の接続を確立するように、構成されたものである。
【００３５】
第３スイッチコンポーネントは図２におけるスイッチであるＳＷＩＴＣＨ３であり、ＳＯＵＲＣＥインターフェイスモジュール１４は図２におけるＨＤＭＩ−ＳＯＵＲＣＥであり、かつ、ＳＩＮＫインターフェイスモジュール１５は図２におけるＨＤＭＩ−ＳＩＮＫであってよい。
【００３６】
インターフェイス回路モジュール１１が外部デバイスのＨＤＭＩインターフェイスに接続された後で、ピンＨＰＤ−ＤＥＴは、外部デバイスのＨＤＭＩインターフェイスのＨＰＤピンからのレベル信号のレベルを検出し得る。レベル信号のレベルが２．２Ｖ（選択された抵抗の抵抗値によって決定されるもの）より小さいか等しい場合に、外部デバイスのデバイスタイプがＳＯＵＲＣＥデバイスとして特定され、かつ、処理モジュール１２は、外部デバイスのＨＤＭＩインターフェイスをＨＤＭＩ−ＳＩＮＫに対して接続するようにスイッチであるＳＷＩＴＣＨ３をコントロールする。
【００３７】
ピンＨＰＤ−ＤＥＴによって検出されたレベル信号のレベルが３．９Ｖ（選択された抵抗の抵抗値によって決定されるもの）より大きいか等しい場合に、外部デバイスのデバイスタイプがＳＩＮＫデバイスとして特定され、かつ、処理モジュール１２は、外部デバイスのＨＤＭＩインターフェイスをＨＤＭＩ−ＳＯＵＲＣＥに対して接続するようにスイッチであるＳＷＩＴＣＨ３をコントロールする。
【００３８】
本発明の実施例によって提供される高精細度マルチメディアインターフェイスＨＤＭＩユニットに従って、外部デバイスのデバイスタイプが、外部デバイスのＨＤＭＩインターフェイスのＨＰＤピンからのレベル信号のレベルにおける変化を検出することによって特定される。そして、処理モジュールは、第１スイッチコンポーネント、第２スイッチコンポーネント、および第３スイッチコンポーネントの対応する動作をコントロールし、それによって、マルチメディア端末に接続された異なるタイプのデバイスがポートと一致する場合に、マルチメディア端末のＳＯＵＲＣＥデバイスまたはＳＩＮＫデバイスへの接続の確立が保証されることを実施している。
【００３９】
本発明の別の実施例は、マルチメディア端末を提供する。上述のあらゆる一つの実施例によって提供される高精細度マルチメディアインターフェイスＨＤＭＩユニット１０を含んでおり、ここで、ＨＤＭＩユニット１０は、ＳＯＵＲＣＥデバイスタイプの外部デバイスのＨＤＭＩインターフェイスに接続するように、または、ＳＩＮＫデバイスタイプの外部デバイスのＨＤＭＩインターフェイスに接続するように構成されている。
【００４０】
ＨＤＭＩユニット１０における処理モジュール１２は、マルチメディア端末の中央処理ユニットＣＰＵであってよい。
【００４１】
実施例によって提供されるマルチメディア端末は、高精細度マルチメディアインターフェイスＨＤＭＩユニットを含んでよく、マルチメディア端末に接続された外部デバイスのタイプがポートと一致しない場合にマルチメディア端末はＳＯＵＲＣＥデバイスまたはＳＩＮＫデバイスへの接続を確立することができないという、従来技術における問題を解決している。
【００４２】
当業者であれば、方法の実施例のステップの全てまたは一部分は、プログラムインストラクション関連のハードウェアによって実施され得ることが理解されよう。上述のプログラムは、コンピュータで読取り可能なストレージ媒体に保管されてよい。プログラムが実行されるとき、方法の実施例のステップが実行される。上述のストレージ媒体は、プログラムコードを保管することができるあらゆる媒体を含んでいる。ＲＯＭ、ＲＡＭ、磁気ディスク、または光ディスクといったものである。
【００４３】
最後に、上述の実施例は、単に本発明の技術的ソリューションを説明することを意図するものであり、本発明を限定するものではないことに留意すべきである。本発明は、上述の実施例に関して詳細に説明されているが、当業者であれば、上述の実施例において説明された技術的ソリューションに対する変更をさらに行い得ること、または、本発明の実施例に係る技術的ソリューションの範囲から逸脱することなく、いくつか又は全ての技術的特徴に対する均等な置き換えをなし得ることを、理解すべきである。
【国際調査報告】
2016521023.tif 000005
2016521023.tif 000006
2016521023.tif 000007
2016521023.tif 000008